Podtech/llm-jp-corpus-v4-ja_patent huggingface dataset:
(57)【特許請求の範囲】
【請求項１】
非磁性体の管に複数の空芯コイルを通して、間隔を設け連結させ、直管内の磁性体をコイルの先頭位置に配置し、複数個の空芯コイルに順次通電し磁性体がコイルの中心部に達した時に通電を終了し磁性体を加速させる直線型加速機であって、空芯コイル間には孔を設けた直線型加速機。
【請求項２】
リング状の非磁性体管に複数の空芯コイルを等間隔で配置し、管内には磁性体を複数個固定配置しリング状の管全体を回転させる円形加速機。
【請求項３】
複数のコイルに供給する電力は、系統連結された電源により順次通電される円形加速機であって、計測による磁性体の移動位置予測を行いコイルに通電させるとともに、磁性体を固定させた円状管の駆動は、高速回転による通電遅延を無くすため電源系統を複数備え速度の変化に応じて複数のコイルを順次又はランダムで通電させ、１系統当たりの電源駆動周期を低くした円形加速機。
【発明の詳細な説明】
【技術分野】
【０００１】
本発明は、電磁石の磁力を利用して物体を移動及び加速させる加速機に関するものである。
【背景技術】
【０００２】
本発明は、物体を移動させる新たな手段として利点があるので、実用と研究に貢献できる。図１ａの非磁性体の直管７に複数個の空芯コイル１，２，３，４は間隔をおいて連結させ、孔１２を設ける。図１ｂは、空芯コイル１，２と磁性体５の移動関係を示す。コイル１の先頭８に磁性体５の先頭６を合わせる。この状態でコイル１に直流で電力を与えると磁力により磁性体はコイル内に移動する。磁性体がコイルの中心１０に達したら通電を終了することにより磁性体は止まることなくコイル２に向かう。磁性体がコイル２の先頭１１に達した時、コイル２に通電が開始され、コイル２の中心で通電を終了する。コイル３以降も同様とすることにより、磁性体は加速される。
【０００３】
磁性体の体積はコイルの大きさに比例するが、長さはおおよそコイル長の２分の１程度とする。
【０００４】
コイルに供給する電力は、コンデンサー類に蓄電し順次スイッチングする。図２ａは、コイルと電源の基本回路、図２ｂはコイルの電流波形を示す。
【０００５】
回路に使用する素子の特性により、磁性体が一定速度に達するとスイッチング遅延が発生するため、センサー類による速度計測と演算により磁性体の移動位置を予測しスイッチングする。
【０００６】
図３は円形加速機の基本図であり非磁性体の円状管１３に複数の空芯コイル１４，１５，１６を等間隔で配置する。管と空芯コイルの間には間隔１７を設ける。円状管１３は、磁性体１８を３個、等間隔で管に固定し配置する。速度センサーは管と隙間を設け設置する。
【０００７】
円状管の起動は、管に配置した３個の磁性体部１８の先頭を３個のコイル１４，１５，１６の先頭に合わせ、３個のコイルに同時に通電する。通電終了は３個の磁性体が同時にコイル１４，１５，１６の中心に達した位置である。高速域の駆動は、速度センサーと計測部によりコイル間の通過時間を算出し、以後の駆動コイルを選択し磁性体の通過位置予測を行い正確に通電する。
【０００８】
図４は円形加速機の実際の配置図であり、円状管内の磁性体３個１９，２０，２１に対し空芯コイルは４倍の１２個２２〜３３を配置した例である。
図４は、複数系統の電源を順にスイッチングすることにより１系統当たりのスイッチング周期を低減する。コイルと磁性体の位置関係を正確に把握しスイッチングすることにより、磁性体速度にスイッチング周期を比例させ速める必要はない。
【図面の簡単な説明】
【０００９】
【図１】図１は直線型加速機の基本構造と動作を示した説明図である。
【図２】図２は加速機の基本駆動回路とコイル波形を示した説明図である。
【図３】図３は円形加速機の基本構造と動作を示した説明図である。
【図４】図４は円形加速機の基本駆動方法を示した説明図である。
【発明を実施するための形態】
【００１０】
最少の部品と汎用技術で実現した。
【産業の利用可能性】
【００１１】
従来の化学反応による物体の推進方法から電磁力による新推進方法へ脱却を目指せること、及び新たな産業分野を開拓できる。
【図１】
0006864790.tif 000002
【図２】
0006864790.tif 000003
【図３】
0006864790.tif 000004
【図４】
0006864790.tif 000005
(57)【特許請求の範囲】
【請求項１】
雨水処理パンの設置構造体は箱型で散水型軒樋の下部全域の地面の上に設置する、部材は上部網籠と下部雨水パンと浸透パイプとスポンジより構成し、雨水パンの底板には複数の丸穴を配置する、雨水パンに貯留された雨水は丸穴より地中に排出される、籠内部全体には雨水を保留するスポンジを充填し、網籠を雨水パンに落とし込み一体とする、雨水パンの底板にある複数の丸穴に、浸透パイプを挿入することにより、軒樋より落下する雨水を直接地中に排出させることができる構成にしたことを特徴とする、雨水処理パンの設置構造体。
【発明の詳細な説明】
【技術分野】
【０００１】
従来の軒樋は半円型、角型があり、集水器を用い竪樋に接続し配水管に接続し排水する。又は浸透桝により雨水処理できるものがある。本発明は最近の軒樋で散水タイプの軒樋に適応した、軒樋の下部全域に設置することで雨水を地中に浸透させることのできる、雨水処理を解決するための雨水処理パンの設置構造体である。
【背景技術】
【０００２】
従来の軒樋は竪樋に接続され、配管による排水や浸透桝による雨水処理等がある。豪雨による被害防止対策は、地下水位の低下問題とともに各機関で取り上げられている。雨樋よりの排水も、豪雨時にそれらがオーバーフローする原因の一つに上げられる。    
【先行技術文献】
【特許文献】
【０００３】
【特許文献１】特許第6343110号 公報
【特許文献２】実願昭54-036942号
【特許文献３】特願2013-129986号公報
【特許文献４】特開2009-270319号公報
【特許文献５】特開2007-297069号公報
【特許文献６】特開2004-036374号公報
【発明の概要】
【発明が解決しようとする課題】
【０００４】
雨水を地中に戻すことは重要であり、豪雨による河川の氾濫や、地下水、小河川の水涸れなどを防ぐことができる。発明された散水型の軒樋は雨水の処理が必要である。既設建物に散水型軒樋を取り付けた場合、その下部地面が土の場合は砕石を敷設するだけでよいが、アスファルトやコンクリートの場合は施工が大掛かりになる、その場合には、地表の上に設置できる雨水処理パンの設置構造体が必要となる。
【課題を解決するための手段】
【０００５】
既設建物に散水型軒樋を取り付けた場合、その下部地面のアスファルトやコンクリートに雨水パン底板の丸穴に適合する丸穴をコア抜きすれば、下部全体に大掛かりな施工をすることなく、雨水処理パンの設置構造体を取り付けすることができる。雨水処理パンの形状は、箱型で上部網籠を下部雨水パンに落とし込む形状である。雨水パン底板には複数の丸穴を配置し、丸穴に浸透パイプを挿入する。籠内部全体にスポンジを充填し雨水を保留する。スポンジより染み出た雨水は、下部部材の、雨水パンの底板にある複数の丸穴より地中に排出される、丸穴に浸透パイプを挿入し、スポンジより染み出た雨水は浸透パイプより地中に排出される。
【発明の効果】
【０００６】
前述のように、雨水処理パンの設置構造体を施工することにより、竪樋の取り付けや地中の排水管工事は不要となり、雨水は地中に還元され排水溝のオーバーフローを防ぐことや、地下水不足にも貢献することができる。
【図面の簡単な説明】
【０００７】
【図１】雨水処理パンの設置構造体全体斜図
【図２】７隅部分拡大図
【図３】雨水処理パン平面図
【図４】雨水処理パン正面図
【図５】雨水処理パン左側面図
【図６】Ａ-Ａ´部分拡大断面図
【図７】雨水処理パン設置状況立面図
【発明を実施するための形態】
【０００８】
雨水処理パンの設置構造体なる形状は箱型で、下部の雨水パンに上部の網籠を落とし込む形状で、雨水パンの底板には複数の丸穴を開けてある、その内部に雨水を保留するスポンジを充填して、網籠を落とし込んで箱型とする。雨水処理の設置状況を図７に示し、図1から図6は雨水処理パンの形状を現す。雨水パンは雨を貯留する部分だが、底面に複数の丸穴が抜いてあり、丸穴に浸透パイプを挿入できる構成とする。このことにより雨水は地中に浸透する、既設建物の地面がコンクリート等の場合には雨水処理パンの丸穴形状に適合する、複数の丸穴をコア抜きし、浸透パイプを挿入して、軒樋の下部全域の地面の上に雨水処理パンの設置構造体を取り付けることにより雨水を直接処理することができる。
【実施例】
【０００９】
図７は本発明の雨水処理パンの設置構造体を、建物の軒下に設置した状態の立面図である。
図１は雨水処理パンの設置構造体の全体図
図２は雨水パンの設置構造体と網籠の落とし込み状況を現す拡大図。
図３〜５は雨水処理パの設置構造体を現す形状図。
図6は浸透パイプに支持部のあることを現した拡大図。
【符号の説明】
【００１０】
１  雨水パン
２  網籠
３  スポンジ
４  浸透パイプ
５  貫通孔
６  支持部
７  隅部分
８  折板
９  散水型軒樋
１０  外壁
１１  雨水処理パンの設置構造体
１２  ＧＬ
【産業上の利用可能性】
【００１１】
工場の屋根には折板が多用されている。その屋根面積は大規模なものが多い。既設の建物に、散水型の軒樋が使用された場合には,落下する雨水の処理が必要になる。本発明はそれを処理するために、大掛かりな工事を要することなく
軒樋よりの雨水を直接処理できる構成とした、雨水処理パンの設置構造体を地面の上に取り付けることにより、図7に示すように敷地内で雨水処理ができる。このことにより、雨排水は下水に流すことなく、河川の氾濫や地下水位の低下の防止に役立つことになる。
【図１】
0006864424.tif 000002
【図２】
0006864424.tif 000003
【図３】
0006864424.tif 000004
【図４】
0006864424.tif 000005
【図５】
0006864424.tif 000006
【図６】
0006864424.tif 000007
【図７】
0006864424.tif 000008
(57)【特許請求の範囲】
【請求項１】
（イ）リュックサックの背中に当たる面（１）と正面（２）と底面（３）には浮力材を使用しており、夫々が繋がって形成され、
（ロ）底面（３）と正面（２）は収納袋（５）を取り出すと、背中に当たる面（１）に向かい合わせに折り重ねることが出来、
（ハ）背中に当たる面（１）と正面（２）の左右はネット（４）で固定してあり、収納部（１４）になるように設け、
（ニ）囲いができているその収納部（１４）の中に、収納袋（５）を入れ背中に当たる面（１）の上部に取付けられている、
（ホ）収納袋（５）にカバー（６）をかけてカバー留（１２）をするとリュックサックに成るように設け、
（ヘ）リュックサックの収納袋（５）を取り出し、底面（５）と正面（２）を背中に当たる面（１）に向かい合わせに折り重ねて平らにして、背中に当たる面（１）の上部についているカバー（６）を掛けて、カバー（６）の内側に付けてある面ファスナー（１３）と正面（２）の外側に付けてある面ファスナ―（１３）を結合して、折りたたんだリュックをカバー（６）で押えて一体にして救命ボードになる、
本発明は以上のように構成された、救命ボードになるリュックサック。
【発明の詳細な説明】
【技術分野】
【０００１】本発明はリュックサックが救命ボートになるリュックサックに関するものである。
【背景技術】
【０００２】従来、水に浮くリュックサックはあった。
【発明の概要】
【発明が解決しようとする課題】
【０００３】海や山での野外活動は水辺で活動する機会が多く、リュックサックを各自が装備しているが、水難事故に遭遇した時に、リュックサックが救命ボードに代わるものが無かった。
【課題を解決するための手段】
【０００４】（イ）リュックサックの背中に当たる面（１）と正面（２）と底面（３）には浮力材を使しており、夫々が繋がって形成され、
（ロ）底面（３）と正面（２）は収納袋（５）を取り出すと、背中に当たる面（１）に向かい合わせに折り重ねることが出来、
（ハ）背中に当たる面（１）と正面（２）の左右はネット（４）で固定してあり、収納部（１４）になるように設け、
（ニ）囲いができているその収納部（１４）の中に、収納袋（５）を入れ背中に当たる面（１）の上部に取付けられている、
（ホ）収納袋（５）にカバー（６）をかけてカバー留（１２）をするとリュックサックに成るように設け、
（ヘ）リュックサックの収納袋（５）を取り出し、底面（５）と正面（２）を背中に当たる面（１）に向かい合わせに折り重ねて平らにして、背中に当たる面（１）の上部についているカバー（６）を掛けて、カバー（６）の内側に付けてある面ファスナー（１３）と正面（２）の外側に付けてある面ファスナ―（１３）を結合して、折りたたんだリュックをカバー（６）で押えて一体にして救命ボードになる、
本発明は以上のように構成された、救命ボードになるリュックサック。
【発明の効果】
【０００５】水難事故にあった時は、とっさに救助する必要があったのでリュックサックが救命ボードに代わることにより、人命救助が速やかに行われ、緊急対応が可能になる。
【図面の簡単な説明】
【０００６】
【図１】本発明の収納部に荷物を入れた状態斜視図
【図２】本発明をたたんだ状態の斜視図
【図３】図１の状態にカバーをした状態の斜視図
【図４】水難の際、浮き具として使用する時の取付状態図
【図５】収納部から荷物を出した状態の斜視図
【図６】本発明を使用する際の状態図
【発明を実施するための形態】
【０００７】以下本発明の実施形態を説明する。
（イ）図１に示すようにリュックサックの背中に当たる面（１）と正面（２）と底面（３）には浮力材を使用しており、夫々が繋がって形成されている。
（ロ）底面（３）と正面（２）は収納袋（５）を取り出すと、背中に当たる面（１）に向かい合わせに折り重ねることが出来る。
（ハ）背中に当たる面（１）と正面（２）の左右はネット（４）で固定してあり、収納部（１４）になる囲いができる。
（ニ）囲いができている収納部（１４）の中に収納袋（５）を入れ、背中に当たる面（１）の上部に取付けられていて、そこにカバー（６）を掛けてカバー留（１２）をすることでリュックサックになる。
（ホ）リュックサックの収納袋（５）を取り出し、底面（５）と正面（２）を背中に当たる面（１）に向かい合わせに折り重ねて平らにして、背中に当たる面（１）の上部についているカバー（６）を掛けて、カバー（６）の内側に付けてある面ファスナー（１３）と正面（２）の外側に付けてある面ファスナ―（１３）を結合して、折りたたんだリュックをカバー（６）で押えて一体にして救命ボードになる。
本発明は以上のような構造である。
【０００８】（イ）本発明を浮き具として使用する際はリュックサックを普通に背負い、肩ベルト（７）、腰ベルト（８）を付けて使用し、水難にあった時は腰ベルト（８）は付けたまま肩ベルト（７）を外してリュックサックを回して、体の前に密着し、面（１）と正面（２）と底面（３）には浮力材を使用しているので、安定した浮力状態を保てることが出来る。
（ロ）リュックサックの中の出し入れすることのできる収納袋（５）を取り出し、底面（３）と正面（２）を背中に当たる面（１）に向かい合わせに折り重ねて平らにして、背中に当たる面（１）の上部についているカバー（６）を掛けて、カバー（６）の内側と正面（２）の外側に付けてある面ファスナ―（１３）で押えると救命ボードになる。
（ハ）カバー（６）の表面の上部中央に付けてあるひも収納ポケット（９）からひも先端リング（１１）を取り出してつかみ、一方の手で救命ボードを水難者に向けて投げることで救助することが出来る。
【符号の説明】
【０００９】  １背中に当たる面
２正面
３底面
４ネット
５収納袋
６カバー
７肩ベルト
８腰ベルト
９ひも収納ポット
１０ひも
１１ひも先端リング
１２カバー留
１３面ファスナー
１４収納部
【図１】
0006891363.tif 000002
【図２】
0006891363.tif 000003
【図３】
0006891363.tif 000004
【図４】
0006891363.tif 000005
【図５】
0006891363.tif 000006
【図６】
0006891363.tif 000007
(57)【特許請求の範囲】
【請求項１】
足置き台の踏み板において両端に突起を備えたバーを固定する孔を形成し、該踏み板に置いた足のずれを防ぐ該バーは該孔を選び固定、置いた足前後方向の該踏み板両端にロール紙の位置決めと固定する板バネ付きストッパーを装着し、設けてあるポケットに入れ置いた部材を以て該踏み板で足の塗布、塗擦、爪切りをし、且つ固定用バンド付き腰掛けを該踏み板の下に収納する事を特徴とする足置き台。
【発明の詳細な説明】
【技術分野】
【０００１】  本発明は、足において異なるケアを種別ごとに使い分け出来且つ感染症予防対策を行い、最小限の関連部材を入れたポケットは場所を選ばず即対応を実現し、更に腰掛けを収納した足置き台に関するものである。
【背景技術】
【０００２】  老人ホーム等の規制緩和のなかで技術の転移があり、ヘルパーの医療的ケアは増え現場に於いて在職の看護師、先達者による指導で対応をしている。【０００３】  しかし、医療的ケアと言われる範囲の中で比較的身近な足の塗布、塗擦、爪切り等について、医療機関においてはベッドを使用、他方、老人ホーム等においては昼間入居者の集まるホール、廊下等で椅子、車いすに掛けた入居者の出した足を介護者が腰を低くし屈み、場合によっては自身の膝に足を載せ作業行為をしている。【０００４】  同じ作業行為において立場、環境による違いを放置しておくことは、医療的ケアの確立にも障害である。一日を通してヘルパーの仕事は雑多で、足の塗布、塗擦、爪切りが後回しになるなどの問題があった。【０００５】  この改善策として、出した足を載せる足置き台と介護者の使用する腰掛けを備え、該腰掛けは足置き台に収納し軽薄短小で持ち運びを容易にし、且つ該足置き台の踏み板はロール紙で覆い感染症予防対策とし、尚且つ関連部材を収納したポケットを該足置き台に設け現場における対応を速やかに出来る事が必要である。
【先行技術文献】
【特許文献】
【０００６】
【特許文献１】特開２００４−４３６
【発明の概要】
【発明が解決しようとする課題】
【０００７】  解決しようとする問題点は、椅子に掛けて出した足を、塗布、塗擦、爪切り等種別ごとのケアが出来ない点であり、対応の出来る関連部材を収納したポケットを設け且つ感染予防対策をした小型の足置き台と、介護者の使用する腰掛けを提供する事を課題とする。
【課題を解決するための手段】
【０００８】  本発明は、足置き台１の踏み板３に両端に突起８を備えたバー７を固定する孔４を形成し、該踏み板３に置いた足のずれを防ぐバー７は該孔４を選び固定、置いた足前後方向の踏み板３両端にロール紙の位置決めと固定を兼ねた板バネ６付きストッパー５を装着し、設けてあるポケット９に入れ置いた関連部材を以て該踏み板３で足の塗布、塗擦、爪切りを行い、且つ固定バンド１２を取り付けた腰掛け１１を足置き台１に収納した事を特徴とする。
【発明の効果】
【０００９】  入居者の足の塗布、塗擦、爪切りは即対応が好ましく、腰掛けた足元に足置き台１を手軽に据え置きポケット９にある関連部材を以て作業行為に移れる事、且つ塗布、塗擦、爪切り時ずれ動く足を止めるバー７の活用、疾患の塗布時踏み板３両端のストッパー５を通したロール紙は踏み板３面を覆い留まり感染症予防と汚れを無くし、足置き台１に収納した腰掛け１１の活用は対応を早くし介護者の無理のない作業行為という利点がある。
【図面の簡単な説明】
【００１０】
【図１】足置き台１の実施方法を示した説明図である。（実施例１）
【図２】足置き台１の踏み板３におけるバー７の実施方法を示した説明図である。（実施例２）
【図３】足置き台１に腰掛け１１を収納、固定バンド１２で固着した図である。（実施例３）
【図４】踏み板３両端に設けたストッパー５と板バネ６の拡大図である。（実施例４）
【発明を実施するための形態】
【００１１】  塗布、塗擦、爪切り等を効果的に実施するという目的を最小の足置き台１で実現した。
【実施例１】
【００１２】  図１は、本発明装置の１実施例で足置き台１から引き出した腰掛け１１は、入居者の出した足を足置き台１の踏み板３に置き介護者は向き合うかたちで該腰掛け１１に掛け、バー７は未使用であって固定する孔４の位置を示す、ロール紙先端を薄いプラスチチックシートを二つ折りにし被せ、踏み板３両端のストッパー５を通して敷かれ、ストッパー５の板バネ６による弱い押圧と踏み板３端角の摩擦によりロール紙は該踏み板３面に覆い留まり感染症予防対策となり、ポケット９に収納してある関連部材は塗布、塗擦、爪切り行為を有効に実施する機構である。
【実施例２】
【００１３】  図２は、本発明装置の２実施例で塗布、塗擦時踏み板３に置いた足の動きを最小限にするため土踏まずに当たる場所と踵部にバー７を固定した１Ａ図、更に踏み板３端に指を持ち上げ爪を切り易くするためと踵部を固定するバー７を設けた１Ｂ図。
【実施例３】
【００１４】  図３は、本発明装置の３実施例で足置き台１に固定バンド１２を取り付けた腰掛け１１を収納、且つ固定バンド１２を以て足置き台１に固着、足置き台１は固定バンド１２を以て運びやすくした。
【実施例４】
【００１５】  図４は、本発明装置の４実施例の拡大図であって、ストッパー５に組み込まれた板バネ６が踏み板３端に弱い押圧でロール紙を密着することを示す。
【産業上の利用可能性】
【００１６】  足置き台１と腰掛け１１を一体にした小型の足置き台１は関連部材を収納したポケット９を備え場所を選ばず塗布、塗擦、爪切りに即対応出来且つ感染症予防にも配慮し、更に介護者の無理のない作業行為に役立つ。
【符号の説明】
【００１７】    １      足置き台
１Ａ    足置き台（バー取り付け）
１Ｂ    足置き台（バー取り付け）
３      踏み板
４      孔
５      ストッパー
６      板バネ
７      バー
８      突起
９      ポケット
１１    腰掛け
１２    固定バンド
【要約】
【課題】    小型で、最小限の部材を保持することで場所を選ばず、医療的ケアの足の塗布、塗擦、爪切り等の作業行為を可能にする。
【解決手段】塗布、塗擦、爪切りそれぞれの用途に合わせたバー７の使用とポケット９に収納してある関連部材の使用は作業行為の着手を早め、作業行為にあたり感染症予防に配慮し且つ腰掛け１１は足置き台１に収納する事で早い対応を可能にした。
【選択図】図１【図１】
0006894587.tif 000002
【図２】
0006894587.tif 000003
【図３】
0006894587.tif 000004
【図４】
0006894587.tif 000005